(57)【要約】【課題】取付け位置に余裕を持たせ、Ｓ形桟瓦の施工性を向上し、更に吹き返しによる雨漏りを極力減らしたＳ形桟瓦を提供する。【解決手段】谷部１１とこれに隣接する山部１２とを有し、谷部１１の平面視した幅が下流側に狭くなると共に、谷部１１の断面表側の平均曲率半径が下流側に小さくなって、山部１２の平面視した幅が下流側に広くなると共に、山部１２の断面表側の平均曲率半径が下流側に大きくなって、しかも、下流側底部には下向き突出壁１６が設けられたＳ形桟瓦１０において、下向き突出壁１６の下端表面を断面Ｓ字状に形成すると共に、Ｓ形桟瓦１０の上流側表面に、下向き突出壁１６の下端表面と同一形状のＳ形平行面１５を上下流方向に一定幅設け、しかも、Ｓ形平行面１５の上下流方向の幅を下向き突出壁１６の幅より大きくした。【選択図】図１
2015063805.tif 000002
【特許請求の範囲】
【請求項１】
谷部とこれに隣接する山部とを有し、前記谷部の平面視した幅が下流側に狭くなると共に、該谷部の断面表側の平均曲率半径が下流側に小さくなって、前記山部の平面視した幅が下流側に広くなると共に、該山部の断面表側の平均曲率半径が下流側に大きくなって、しかも、下流側底部には下向き突出壁が設けられたＳ形桟瓦において、
前記下向き突出壁の下端表面を断面Ｓ字状に形成すると共に、該Ｓ形桟瓦の上流側表面に、前記下向き突出壁の下端表面と同一形状のＳ形平行面を設け、しかも、前記Ｓ形平行面の上下流方向の幅を前記下向き突出壁の幅より大きくしたことを特徴とするＳ形桟瓦。
【請求項２】
請求項１記載のＳ形桟瓦において、前記Ｓ形平行面の位置は、該Ｓ形桟瓦の上端を基準として、上下流方向の長さをｆとした場合、（０．０５〜０．３２）ｆの範囲に、少なくとも０．０５ｆの幅で形成されていることを特徴とするＳ形桟瓦。
【請求項３】
請求項１又は２記載のＳ形桟瓦において、該Ｓ形桟瓦の上流側端部の表側には上向き突出壁が形成され、吹き返しによる雨漏りを防止していることを特徴とするＳ形桟瓦。
【請求項４】
請求項３記載のＳ形桟瓦において、前記Ｓ形平行面の上流側で前記上向き突出壁より下流側位置には、該Ｓ形桟瓦を屋根部材に固定する釘又はねじを挿通する１又は複数の貫通孔が設けられ、しかも、該貫通孔の周囲には前記上向き突出壁より高い環状土手が設けられていることを特徴とするＳ形桟瓦。
【請求項５】
請求項１〜４のいずれか１記載のＳ形桟瓦において、前記谷部の下流側端部には、急斜面とこれに続く緩斜面との組合せによる流水増速部が設けられていることを特徴とするＳ形桟瓦。
【発明の詳細な説明】
【技術分野】
【０００１】
本発明は、谷部と山部の境界が、下流方向に対して傾斜したＳ形桟瓦（ＪＩＳＡ５２０８による区分）に関する。
【背景技術】
【０００２】
従来、大きな湾曲半径（一方向に曲がった曲面の断面表側の平均曲率半径、以下同じ）を有する谷部と、この谷部に連続して小さな湾曲半径を有する山部とを有し、断面がＳ字状のＳ形桟瓦（特許文献１参照）が知られている。そして、このＳ形桟瓦をスパニッシュ瓦に似せて、図７（Ａ）、（Ｂ）に示すように平面視して谷部６０と山部６１の境界線６２が下流方向に傾斜したＳ形桟瓦６３も広く使用されている。このＳ形桟瓦６３は谷部６０が平面視して下流に向けて狭くなり、山部６１が平面視して下流に向けて広くなる。
【０００３】
従って、谷部６０の湾曲半径が下流側に向けて徐々に小さくなり、山部６１の湾曲半径が下流に向けて徐々に大きくなっている。このＳ形桟瓦６３の下流側の底部に一定幅の断面Ｓ字形の下向き突出壁６５が設けられている。
【０００４】
この下向き突出壁６５の底面は、上流端６７から一定距離ｋのＳ形桟瓦６３の断面形状と同一となって、第１のＳ形桟瓦６３の上に第２のＳ形桟瓦６３を配置して、第２のＳ形桟瓦６３の下向き突出壁６５が第１のＳ形桟瓦６３の所定位置に載る場合、第１のＳ形桟瓦６３の表面と、第２のＳ形桟瓦６３の下向き突出壁６５との間に隙間が無くなり、台風等のときに発生する吹き返しに起因する漏水が無くなる構造となっている。
なお、６８は上流側底部に設けられている支持脚で、６９、７０は貫通孔であってこのＳ形桟瓦６３を屋根部材に釘、ねじ等で固定する場合に使用する。
【先行技術文献】
【特許文献】
【０００５】
【特許文献１】特開平７−１６６６５３号公報
【発明の概要】
【発明が解決しようとする課題】
【０００６】
しかしながら、従来のＳ形桟瓦においては、上に載せるＳ形桟瓦の位置を変えると、上のＳ形桟瓦の下向き突出壁と下のＳ形桟瓦の表面の形状が合わなくなって隙間を発生するという問題があった。従って、従来のＳ形桟瓦は正確に位置決めして施工をする必要があり、Ｓ形桟瓦の釘止め又はねじ止めも正確に行う必要があり、極めて施工性が悪いという問題があった。
また、Ｓ形桟瓦の設置後、支持部材の歪等によって、施工したＳ形桟瓦の位置が少しでもずれると雨漏りするという問題もあった。
【０００７】
本発明はかかる事情に鑑みてなされたもので、取付け位置に余裕を持たせ、Ｓ形桟瓦の施工性を向上し、更に吹き返しによる雨漏りを極力減らしたＳ形桟瓦を提供することを目的とする。
【課題を解決するための手段】
【０００８】
前記目的に沿う第１の発明に係るＳ形桟瓦は、谷部とこれに隣接する山部とを有し、前記谷部の平面視した幅が下流側に狭くなると共に、該谷部の断面表側の平均曲率半径が下流側に小さくなって、前記山部の平面視した幅が下流側に広くなると共に、該山部の断面表側の平均曲率半径が下流側に大きくなって、しかも、下流側底部には下向き突出壁が設けられたＳ形桟瓦において、
前記下向き突出壁の下端表面を断面Ｓ字状に形成すると共に、該Ｓ形桟瓦の上流側表面に、前記下向き突出壁の下端表面と同一形状のＳ形平行面を設け、しかも、前記Ｓ形平行面の上下流方向の幅を前記下向き突出壁の幅より大きくした。
【０００９】
また、第２の発明に係るＳ形桟瓦は、第１の発明に係るＳ形桟瓦において、前記Ｓ形平行面の位置は、該Ｓ形桟瓦の上端を基準として、上下流方向の長さをｆとした場合、（０．０５〜０．３２）ｆの範囲に、少なくとも０．０５ｆの幅で形成されている。
【００１０】
第３の発明に係るＳ形桟瓦は、第１、第２の発明に係るＳ形桟瓦において、該Ｓ形桟瓦の上流側端部の表側には上向き突出壁が形成され、吹き返しによる雨漏りを防止している。
【００１１】
第４の発明に係るＳ形桟瓦は、第３の発明に係るＳ形桟瓦において、前記Ｓ形平行面の上流側で前記上向き突出壁より下流側位置には、該Ｓ形桟瓦を屋根部材に固定する釘又はねじを挿通する１又は複数の貫通孔が設けられ、しかも、該貫通孔の周囲には前記上向き突出壁より高い環状土手が設けられている。
【００１２】
そして、第５の発明に係るＳ形桟瓦は、第１〜第４の発明に係るＳ形桟瓦において、前記谷部の下流側端部には、急斜面とこれに続く緩斜面との組合せによる流水増速部が設けられている。
以上の発明において、平均曲率半径とは、湾曲部を微小円弧部に（例えば、１０〜５０箇所に）分割した場合、各部分の曲率半径の平均をいう。従って、必ずしも、谷部及び山部の断面表側が円弧であるわけではない。
【発明の効果】
【００１３】
第１〜第５の発明に係るＳ形桟瓦は、下向き突出壁の下端表面を断面Ｓ字状に形成すると共に、Ｓ形桟瓦の上流側表面に、下向き突出壁の下端表面と同一形状のＳ形平行面を設け、しかも、Ｓ形平行面の上下流方向の幅を下向き突出壁の幅より大きくしたので、上側に配置するＳ形桟瓦の設置位置が多少、上下流方向にずれても、重なるＳ形桟瓦の間に隙間が発生することはない。従って、Ｓ形桟瓦を設置する場合の施工性が極めて向上し、更に施工後、Ｓ形桟瓦の位置が多少ずれても雨漏りが発生しにくい。
【図面の簡単な説明】
【００１４】
【図１】本発明の一実施の形態に係るＳ形桟瓦の斜視図である。
【図２】（Ａ）は同Ｓ形桟瓦の平面図、（Ｂ）は同Ｓ形桟瓦の正面図である。
【図３】同Ｓ形桟瓦の背面図である。
【図４】（Ａ）〜（Ｄ）はそれぞれ図２における矢視Ａ−Ａ、Ｂ−Ｂ、Ｃ−Ｃ、Ｄ−Ｄ断面図である。
【図５】（Ｅ）〜（Ｈ）はそれぞれ図２における矢視Ｅ−Ｅ、Ｆ−Ｆ、Ｇ−Ｇ、Ｈ−Ｈ断面図である。
【図６】同Ｓ形桟瓦を重ねた状態の斜視図である。
【図７】（Ａ）、（Ｂ）は従来例に係るＳ形桟瓦の使用例を示す平面図及び正面図である。
【発明を実施するための形態】
【００１５】
続いて、添付した図面を参照しつつ、本発明を具体化した本発明の一実施の形態に係るＳ形桟瓦１０について説明する。
図１、図２（Ａ）、（Ｂ）、図３、図４（Ａ）〜（Ｄ）、図５（Ｅ）〜（Ｈ）に示すように、Ｓ形桟瓦１０は、谷部１１とこれに隣接する山部１２とを有し、谷部１１の平面視した幅ｗ１が下流側に狭くなると共に、谷部１１の断面表側の平均曲率半径が下流側に徐々に小さくなっている。また、山部１２の平面視した幅ｗ２が下流側に徐々に広くなって、山部１２の断面表側の平均曲率半径が下流側に大きくなっている。なお、ｗ２／ｗ１はこの実施の形態では０．５〜０．８１の範囲にある。
【００１６】
Ｓ形桟瓦１０の上流側表面には、上下流方向に一定幅のＳ形平行面１５が設けられている。このＳ形平行面１５は、Ｓ形桟瓦１０の上下流方向の長さをｆとして、Ｓ形桟瓦１０の上端１４から例えば（０．０５〜０．３２）ｆの位置（より好ましくは、０．０５ｆ〜０．３ｆ）に形成されて、その幅は、少なくとも０．０５ｆの幅（より好ましくは、０．１ｆ〜０．２ｆ）を有している（例えば、１１ｍｍ以上）。従って、Ｓ形平行面１５の断面表側は、流れ方向（即ち、上下流方向）に一定のＳ字形状となっている。なお、Ｓ形平行面１５の直下流側には通常の谷部１１にＳ形平行面１５を繋ぐ緩傾斜面１５ａが形成されている。
【００１７】
そして、Ｓ形桟瓦１０の下流側底部には、Ｓ形桟瓦１０のＳ形平行面１５の断面表側に、底面形状（下端表面の形状）を一致させ、下端表面が断面Ｓ字状の下向き突出壁１６が設けられている。なお、前述したＳ形平行面１５の上下流方向の幅は、下向き突出壁１６の幅より広くなっている。以下、図６に示すように、複数のＳ形桟瓦１０を部分的に重ねて使用するので、下側に配置されるＳ形桟瓦を第１のＳ形桟瓦１０、その上に配置されるＳ形桟瓦を第２のＳ形桟瓦１０として必要な場合、区別して説明する。
【００１８】
従って、第１のＳ形桟瓦１０の上に第２のＳ形桟瓦１０を一部ラップさせて配置した場合、第２のＳ形桟瓦１０の下向き突出壁１６を、第１のＳ形桟瓦１０のＳ形平行面１５に載せるようにする。これによって、第１、第２のＳ形桟瓦１０の隙間が無くなり、吹き返しによって、雨水が第１のＳ形桟瓦１０の上流側に逆流（雨漏り）することを防止できる。
【００１９】
ここで、Ｓ形平行面１５は、Ｓ形桟瓦１０の上端１４から例えば（０．０５〜０．３２）ｆの位置に形成されるので、第２のＳ形桟瓦１０の取付け精度を従来のように厳格にする必要がない。なお、Ｓ形平行面１５の位置が０．０５未満になると第１、第２のＳ形桟瓦１０のラップ代が無くなり、０．３２ｆを超えると第１、第２のＳ形桟瓦１０のラップ代が大きくなりすぎる。
また、下向き突出壁１６の幅はＳ形平行面１５の幅より小さく、通常は、０．０２ｆ〜０．０４ｆの幅を有するが、狭過ぎる（例えば、０．０２ｆ未満）とすると、Ｓ形平行面１５及び下向き突出壁１６に疵が付き易く、大きな荷重を負担することができない。
【００２０】
このＳ形桟瓦１０の上流側端部の表側には上向き突出壁１８が設けられ、仮に第１、第２のＳ形桟瓦１０の隙間から雨水が浸入しても、屋根裏に浸入しないようになっている。この上向き突出壁１８の高さは４〜８ｍｍ程度で、幅は１０〜１５ｍｍ程度となっているが本発明はこの数字に限定されない。
【００２１】
上向き突出壁１８の下流側で、Ｓ形平行面１５の上流側には、このＳ形桟瓦１０を屋根部材（野地板）にねじ又は釘等で固定する１又は複数（この実施の形態では２個）の貫通孔２０、２１が形成されている。この貫通孔２０、２１の周囲には、上向き突出壁１８と同一高さ又は僅少の範囲（例えば、１．５ｍｍ以下）で低い又は高い環状土手２２、２３が設けられている。この環状土手２２、２３によって周囲からの雨水の浸入を防止できる。また、第１のＳ形桟瓦１０をねじ又は釘で固定した後、第２のＳ形桟瓦１０を配置することによって、図６に示すように、環状土手２２、２３及び貫通孔２０、２１に装着された釘又はねじ等を完全に第２のＳ形桟瓦１０によって覆うことができる。
【００２２】
図３に示すように、Ｓ形桟瓦１０の裏面にこの環状土手２２、２３が嵌入する窪み２４、２４ａが設けられている。窪み２４、２４ａの深さは、環状土手２２、２３が窪み２４、２４ａに嵌入した場合、下向き突出壁１６の下端面がＳ形平行面１５に確実に当接するように、環状土手２２、２３の高さ、及び窪み２４、２４ａの深さを決める。この場合、環状土手２２、２３の頂面が窪み２４、２４ａの天井面に当接する必要はない。この実施の形態では、窪み２４、２４ａは下向き突出壁１６をよけて形成されているが、窪み２４、２４ａの一部が下向き突出壁１６に干渉して形成されていてもよい。
【００２３】
また、図３に示すように、山部１２の裏側には、複数の予備穴３０、３１（一つでもよい）が設けられ、必要な場合、貫通孔として上部から釘やねじ等で、Ｓ形桟瓦１０を屋根部材に固定できる。この予備穴３０、３１の設けられている位置は、山部１２の頂部にあり、漏水の発生を防止している。
【００２４】
図３に示すように、Ｓ形桟瓦１０の上流部でその裏側には支持脚３３が形成されている。支持脚３３は両側に突出部３４、３５（図２（Ｂ）参照）を有し、その突出部３４、３５が野地板に当接して、Ｓ形桟瓦１０が安定して載置されるようになっている。
また、図３において、３７〜３９は平面部であって、谷部１１の裏側にその他の部分より僅少の範囲で肉を取って形成されている。なお、平面部３７〜３９は省略することも可能である。
【００２５】
このＳ形桟瓦１０において、谷部１１の下流側端部には急斜面２５とこれに続く緩斜面２６によって形成される流水増速部２７が設けられている。この流水増速部２７については、特公平７−９１８８４号公報に詳細に記載されているが、この部分で谷部１１を流れる水を加速し、雨水の増速を図り、より確実に雨水の逆漏れを防止している。
【符号の説明】
【００２６】
１０：Ｓ形桟瓦、１１：谷部、１２：山部、１４：上端、１５：Ｓ形平行面、１５ａ：緩傾斜面、１６：下向き突出壁、１８：上向き突出壁、２０、２１：貫通孔、２２、２３：環状土手、２４、２４ａ：窪み、２５：急斜面、２６：緩斜面、２７：流水増速部、３０、３１：予備穴、３３：支持脚、３４、３５：突出部、３７、３８、３９：平面部
【図１】
2015063805.tif 000003
【図２】
2015063805.tif 000004
【図３】
2015063805.tif 000005
【図４】
2015063805.tif 000006
【図５】
2015063805.tif 000007
【図６】
2015063805.tif 000008
【図７】
2015063805.tif 000009